(57)【要約】【課題】小型軽量化を図りつつ、かつ、シンプルな構成で、後進走行の状態でも遠隔操作や自立判断の情報源であるカメラ画像を走行方向の向きに維持させる。【解決手段】無人探査車１００は、走行時に回転を伴う車輪要素２と、回転を伴わない本体要素１とに大別され、無人探査車１００が前進走行から後進走行に切り替わる時、本体要素１の回転力Ｔ１は、本体要素１の重力Ｆ３による回転力Ｔ３よりも大く設定されている。そのため、本体要素１がカメラ４０と共に回転して、カメラ４０は、無人探査車１００が後進走行する時も、無人探査車１００の走行方向に向く。【選択図】図６
2020172222.tif 000002
【特許請求の範囲】
【請求項１】
本体部と、前記本体部の幅方向両端において同軸上に配置された一対の車輪と、前記車輪の外周面に設けられた複数の爪と、前記本体部の後方に設けられ、地面に接地する接地体と、を備える無人探査車であって、前記一対の車輪を後進回転させる回転力が、前記一対の車輪以外の構成要素の重量による前記一対の車輪の回転軸まわりの回転力よりも大きいことを特徴とする、無人探査車。
【請求項２】
前記一対の車輪以外の構成要素のうち、前記一対の車輪の回転軸よりも前方にある部位は、前記一対の車輪径よりも外周側に飛び出さずに配置されていることを特徴とする、請求項１に記載の無人探査車。
【請求項３】
前記一対の車輪以外の構成要素の外面形状は、上下対称に形成されていることを特徴とする、請求項１又は２に記載の無人探査車。
【発明の詳細な説明】
【技術分野】
【０００１】
本発明は、不整地を走行して探査を行う無人探査車に関する。
【背景技術】
【０００２】
無人探査車を走行させて、砂や石等で覆われた不整地の探査を行う場合、無人探査車は、遠隔地に居る操作者による遠隔操作、または、無人探査車に搭載された判断回路による自立判断で動作される。この、遠隔操作ないし自立判断による動作、いづれの場合に於いても、無人探査車に搭載されたカメラからの撮影情報を頼りに不整地周辺の状況を把握し、無人探査車が次に行う動作を判断して指示する。その際、カメラからの撮影映像は、無人探査車の走行方向を常に撮影していることが、無人探査車が次に行う動作を判断するために重要となる。
【０００３】
ところで、前進走行している無人探査車の走行方向軌跡の延長の前方に、例えば、急斜面や窪地等、無人探査車の走行にとって厳しい環境が在る時には、無人探査車の前進走行を継続させると、厳しい環境に突入してしまい、それ以上の走行が困難になると判断され、無人探査車の動作として後進する場合がある。無人探査車が後進する場合、無人探査車に搭載されたカメラは、無人探査車の前進方向を向いるため、無人探査車が後進で走行する方向（後進方向）の撮影は出来ない状態になり、無人探査車が後進している間は、遠隔操作ないし自立判断に必要な、カメラからの撮影情報がないままで走行することとなる。
【０００４】
カメラからの撮影情報が無いままで走行すると、無人探査車が後進で走行する経路に、例えば、急斜面や窪地等があったとしても、それを確認することが出来ず、本来ならば回避すべき急斜面や窪地等に突入していまい、その結果、走行不能に陥ってしまう危険性を伴う、といった問題がある。この問題を回避する手段として、無人探査車の後進方向に向けたカメラを追加して搭載する方法が考えられる。しかし、この方法の場合、大型化を招く、重量増加を伴う、カメラ制御システムが複雑になる、といった不具合が生じる。
【０００５】
一般的に、車輪を有する無人探査車は、通常では前進方向に走行する前提とし、例えば、カメラや計測器が前進向きに搭載されている等、前進走行に適した設計が成されている。そのため、上記のように後進走行が必要になった場合、後進走行を一時的な動作とし、後進走行の後には、旋回走行をして、再び前進走行に戻す切り返し動作が必要となり、動作が煩雑になってしまう、といった不具合も生じる。
【０００６】
また同様に、車輪を有する無人探査車は、例えば、不整地の急斜面や窪地を走行し、上下が逆さまに転倒した場合、転倒した状態では走行不可能となっている。具体的な要因としては、通常走行の状態に於いて、本体部（フレーム）は、車輪よりも鉛直方向上側に飛び出して形成されている。そのため、無人探査車が上下逆さまに転倒した場合、本体部（フレーム）の一部が不整地に接触してしまい、この不整地との接触部から大きな抵抗となって無人探査車に作用すると共に、車輪の走行に必要な接地荷重が低下し、さらには、車輪が不整地から浮いてしまい、走行不能に陥ってしまう、といった不具合も生じる。
【０００７】
また、無人探査車を、例えば宇宙に運ぶためには、その打ち上げや着陸等にかかる費用が莫大なものとなっており、この費用削減のために、無人探査車の小型軽量化が、重要な課題となっている。
【０００８】
特許文献１に記載の無人探査車は、本体部（メインフレーム）の一部（立設部）や、本体部に取りつけられた保護フレームが、通常走行の状態に於いて、車輪の直径よりも鉛直方向上側に飛び出して配置されている。
【先行技術文献】
【特許文献】
【０００９】
【特許文献１】特開２００１−４８０６９号公報
【発明の概要】
【発明が解決しようとする課題】
【００１０】
特許文献１に記載の無人探査車は、転倒した場合でも正常な姿勢に回復する機能を備えた無人探査車であるが、転倒した状態のままでは、幅方向に設けられた一対の車輪が共に不整地に接地することはできず、正常な走行を行う事が困難な構成となっている。
【００１１】
また、特許文献１に記載の無人探査車では、無人探査車が転倒した場合に、姿勢を回復する機構が備えられているため、その分、重量の増加、大型化を招く恐れがある。
【課題を解決するための手段】
【００１２】
本発明は、上記課題を解決するため、（１）〜（３）に記載する無人探査車を提供する。
【００１３】
（１）本体部と、前記本体部の幅方向両端において同軸上に配置された一対の車輪と、前記車輪の外周面に設けられた複数の爪と、前記本体部の後方に設けられ、地面に接地する接地体と、を備える無人探査車であって、前記一対の車輪を後進回転させる回転力が、前記一対の車輪以外の構成要素の重量による前記一対の車輪の回転軸まわりの回転力よりも大きいことを特徴とする、無人探査車。
【００１４】
（２）前記一対の車輪以外の構成要素のうち、前記一対の車輪の回転軸よりも前方にある部位は、前記一対の車輪径よりも外周側に飛び出さずに配置されていることを特徴とする、前記（１）に記載の無人探査車。
【００１５】
（３）前記一対の車輪以外の構成要素の外面形状は、上下対称に形成されていることを特徴とする、前記（１）又は（２）に記載の無人探査車。
【発明の効果】
【００１６】
本発明の無人探査車によれば、無人探査車が後進する場合、車輪以外の構成要素が、車輪の回転軸まわりに回転し、無人探査車の前方を撮影するように配置されたカメラも、同様に回転して、無人探査車の走行方向を向く。そのため、無人探査車が後進する場合でも、無人探査車は、走行方向に対して前進する場合と同様な配置を維持し、無人探査車の遠隔操作や自立判断に必要な撮影情報が途絶えることなく、常に良好な動作をさせることが出来る。
【００１７】
特に前記（２）に記載の無人探査車によれば、無人探査車が後進する場合、車輪以外の構成要素が、地面（不整地）と接触することなく、車輪の回転軸まわりに回転するため、さらに良好な動作を維持させることが出来る。
【００１８】
特に前記（３）に記載の無人探査車によれば、無人探査車が後進する場合でも、無人探査車が前進する場合と同一な配置状態が維持されるため、さらに良好な走行性能や動作を維持させることが出来る。
【図面の簡単な説明】
【００１９】
【図１】本発明の実施の形態に係る無人探査車を示す斜視図である。
【図２】本発明の実施の形態に係る無人探査車を示す側面図である。
【図３】本発明の実施の形態に係る無人探査車を示す正面図である。
【図４】本発明の実施の形態に係る無人探査車を示す平面図である。
【図５】図２のＡ−Ａ線断面図である。
【図６】図３のＢ−Ｂ線断面図である。
【図７】無人探査車が前進から後進に切り替わる状態を（ａ）、（ｂ）、（ｃ）の順に時系列で示す、本発明の実施の形態に係る無人探査車を示す側面図である。
【発明を実施するための形態】
【００２０】
本発明に係る無人探査車の実施の形態について、図１〜６を参照して説明する。尚、以下に説明する実施の形態は、本発明を実施する上での好適な具体例として示すものであり、技術的に好ましい技術的事項を具体的に例示している部分もあるが、本発明の技術的範囲は、この具体的態様に限定されるものではない。
【００２１】
また、以下の説明に於いて、水平面に対して垂直な鉛直方向を「上下方向」または「高さ方向」というものとする。また、無人探査車１００には車輪２０が設けられているが、車輪２０の回転軸方向を「幅方向」または「左右方向」といい、車輪２０の回転軸方向に対して垂直な水平方向を「前後方向」というものとする。また、幅方向に於いて、無人探査車１００の中心部側（中心に近い側）を「内側」といい、無人探査車１００の端部側（中心から遠い側）を「外側」というものとする。
【００２２】
また、以下の説明に於いて、一対で設けられている構成要素については、その一方を説明し、他方の説明を省略することがある。
【００２３】
また、以下の説明に於いて「不整地」とは、整地されていない土地であって、例えば、砂、石、岩、泥等で覆われた土地をいい、特に説明がない限りに於いて、水平な地表を成しているものとする。尚、不整地は、例えば、月の土地、火星の土地等、地球外惑星の土地も含まれるものとする。
【００２４】
図１は、本発明に係る無人探査車１００の斜視図であり、無人探査車１００の全体が示されている。また、図２は、無人探査車１００の側面図であり、図３は、無人探査車１００の正面図であり、図４は、無人探査車１００の平面図であり、それぞれ無人探査車１００の全体が示されている。尚、図３と図５に於いて、図面上方が、無人探査車１００の上方にあたり、図４に於いて、図面下方が、無人探査車１００の前方にあたる。
【００２５】
図５は、図２のＡ−Ａ線断面図であり、前から見た断面が示されている。また、図６は、図３のＢ−Ｂ線断面図であり、横から見た断面が示されている。
【００２６】
本体部１０は、薄板状の部材で囲われた容器体として形成されている。本体部１０の中央領域には、幅方向に平行に伸びる略円筒状の中央部１１が形成され、中央部１１の幅方向両端領域には、中央部１１よりも大なる径の略球状の一対の膨張部１２が形成されている。
【００２７】
中央部１１は、上方に配置される平面状の中央上面１１ａと、下方に配置される平面状の中央下面１１ｂと、軸線が幅方向に平行で前方に配置される部分円筒面の中央前面１１ｃと、軸線が幅方向に平行で後方に配置される部分円筒面の中央後面１１ｄとで囲われて、その外面が形成されている。
【００２８】
中央前面１１ｃと中央後面１１ｄとは、それぞれの部分円筒面の径が同一で、かつ、それぞれの部分円筒面の軸線が同軸に配置されている。また、中央上面１１ａと中央下面１１ｂとは、互いに平行に形成されている。すなわち、中央上面１１ａと中央下面１１ｂとは、中央前面１１ｃと中央後面１１ｄとの部分円筒面を延長させて成る一つの円筒面を切り欠いた平行面として形成されている。
【００２９】
膨張部１２は、正の曲率の部分球面状の膨張面１２ａと、幅方向に対して垂直向きの平面状の測面１２ｂとで囲われて、その外面が形成されている。また、膨張面１２ａの球直径は、中央上面１１ａと中央下面１１ｂとの離隔距離よりも大なる直径で形成され、かつ、中央前面１１ｃと中央後面１１ｄとの最大距離（中央前面１１ｃと中央後面１１ｄとで成る仮想円筒の直径）よりも大なる直径で形成されている。
【００３０】
図５で示されるように、側面１２ｂには、車輪２０を駆動する駆動モーター１４を保持するモーター保持１３が取り付けられている。駆動モーター１４は、膨張部１２の内部に配置され、駆動モーター１４の回転動力は、減速歯車１５を介して減速されて減速軸１６に伝達される。減速軸１６は、側面１２ｂ、及び、モーター保持１３を貫通して、側面１２ｂから幅方向外側に突出している。
【００３１】
膨張部１２の内部には、駆動モーター１４に電力を供給するバッテリー１８ａを保持するバッテリー保持１８が設置されている。また、膨張部１２の内部には、駆動モーター１４の駆動状態等を制御する制御基板１９ａを保持する基板保持１９が設置されている。そのため、バッテリー１８ａ、及び、制御基板１９ａは、膨張部１２の内部に配置されている。
【００３２】
ここで、モーター保持１３、駆動モーター１４、減速歯車１５、減速軸１６、これらのそれぞれは、左右一対で左右対称に設けられており、一対の減速軸１６の回転軸は同軸に配置されている。尚、一対の減速軸１６の回転軸は、一対の車輪２０の回転軸でもあり、以下の説明に於いて、この減速軸１６の回転軸を単に「回転軸」というものとする。
【００３３】
回転軸は、円板状に形成されている側面１２ｂの中心に配置されており、中央上面１１ａ、及び、中央下面１１ｂは、回転軸に対して上下対称に配置されている。すなわち、本体部１０は、その外面の形状が、回転軸に対して上下対称に形成されている。
【００３４】
モーター保持１４は、幅方向外側の端部が開口しており、この開口部の内周面に車輪２０を回転可能に保持する軸受１７が取り付けられている。
【００３５】
車輪２０は、円盤状に形成されたディスク部２１と、ディスク部２１の径よりも径大な略筒状に形成されたリム部２２と、ディスク部２１の外周面からリム部２２の幅方向外側の端部に向けて放射状に延出している複数の柱状のスポーク部２３とで、一体化して構成されている。
【００３６】
ディスク部２１は、軸受１７によって回転可能に支持され、減速軸１６と相対回転不能に接合され、減速軸１６からの回転動力を受けている。
【００３７】
リム部２２は、リム外周面２２ａ（リム部２２の外周面）が正の曲率の部分球面で形成された薄板状の筒体で成る。そのため、リム内周面２２ｂ（リム部２２の内周面）は、リム外周面２２ａに沿った負の曲率の部分球面で形成されている。
【００３８】
ここで、リム外周面２２ａの径（球径）は、リム内周面２２ｂの径（球径）よりも大きく形成され、リム内周面２２ｂの径（球径）は、膨張面１２ａの径（球径）よりも大きく形成されている。
【００３９】
リム外周面２２ａからは、薄板状に形成された複数の爪２４が、リム外周面２２ａの半径方向に放射状に伸びて設けられている。また、爪２４の外周面である爪外周面２４ａは、リム外周面２２ａに沿った正の曲率の曲面で形成されている。尚、爪２４は、爪２４を不整地に食い込ませることで走破性を増そうとする目的で設けられており、技術名称として「グローサ」と呼ばれている。
【００４０】
中央部１１の中央前面１１ｃには、カメラ４０を保持するカメラ保持穴１１ｅが設けられている。カメラ４０は、カメラ保持穴１１ｅに保持されて、中央部１１の内部に回転軸に対して上下対称位置に配置されている。
【００４１】
無人探査車１００は、カメラ４０による撮影情報を利用して、遠隔地に居る操作者による遠隔操作、または、無人探査車１００に搭載された判断回路による自立判断によって走行を行う。そのため、無人探査車１００は、カメラ４０が向いている方向が前進方向（通常走行の方向）となる。換言すれば、前後方向に見て、中央部１１の中心からカメラ保持穴１１ｅに向かう方向が、前進方向となる。尚、前記の無人探査車１００に搭載された判断回路は、制御基板１９ａの一部として搭載されている。
【００４２】
中央部１１の中央後面１１ｄからは、棒状に形成されて後方に延出する複数の脚３１が設けられ、複数の脚３１の後方先端には、一対の接地体３４、３５を保持する接地体保持３３が固定されている。
【００４３】
一対の接地体３４、３５は、略皿状に形成され、接地体保持３３に取り付けられ、無人探査車１００の最後方に配置されている。一対の接地体外周面３４ａ（接地体３４の外周面）、３５ａ（接地体３５の外周面）は、正の曲率の部分球面で形成されている。
【００４４】
また、一対の接地体外周面３４ａ、３５ａのうち、一方の接地体外周面３４ａは、不整地Ｇに接地する向きに配置され、一対の接地体外周面３４ａ、３５ａは、上下対称に形成されている。すなわち、一方の接地体外周面３４ａは、下向きに配置されて不整地Ｇに接地し、他方の接地体外周面３５ａは、上向きに配置されている。
【００４５】
また、上下方向に延びる棒状に形成された補助脚３２が、補助脚３２の両端を一対の接地体保持３３で固定されて設けられ、上下に設けられた一対の接地体３４、３５同士を繋いで保持している。
【００４６】
また、一対の接地体外周面３４ａ、３５ａのそれぞれの径（球径）は、リム外周面２２ａの径（球径）と同一に形成されている。
【００４７】
次に、図２と図６を参照して、無人探査車１００が前進走行の状態から後進走行の状態へ切り替わる時の状態を、力や回転力の関係に着目して説明する。図２と図６は、一対の接地体外周面３４ａ、３５ａの、一方の接地体外周面３４ａが下を向き、他方の接地体外周面３５ａが上を向いている状態で、車輪２０の接地面として機能するリム部２２と接地体外周面３４ａとが、不整地Ｇに接地している状態を示している。
【００４８】
無人探査車１００を走行させる場合、本体部１０の内部に取り付けられたモーター保持１３に保持された駆動モーター１４の回転動力を車輪２０に伝え、２０を回転させることで、無人探査車１００を走行させている。
【００４９】
無人探査車１００は、無人探査車１００が走行している時に、本体部１０に回転不能に接合されて回転を伴わない要素の集合体で成る本体要素１と、車輪２０に伴って回転している要素の集合体である車輪要素２とに大別される。具体的には、本体要素１は、本体部１０に加え、モーター保持１３、バッテリー保持１８、バッテリー１８ａ、基板保持１９、制御基板１９ａ、脚３１、補助脚３２、接地体保持３３、接地体３４、３５、カメラ４０、とで成る。また、車輪要素２は、車輪２０に加え、減速軸１６、爪２４とで成る。
【００５０】
尚、駆動モーター１４、減速歯車１５、軸受１７、これらの要素は、無人探査車１００が走行している時に、本体部１０に回転不能に接合されている要素部分と、車輪２０に伴って回転している要素部分とが混在しているため、本体要素１、車輪要素２のどちらにも属さない中間要素３として分類する。
【００５１】
以下に、本体要素１と車輪要素２との間で作用する力や回転力について説明する。その際、厳密には中間要素３も、本体要素１や車輪要素２に作用を及ぼすが、中間要素３の総重量は、本体要素１や車輪要素２の総重量に比べて軽く、本体要素１と車輪要素２との間で作用する力や回転力に与える影響も軽微であるため、中間要素３が本体要素１や車輪要素２に作用する力や回転力の成分を省略して説明する。つまり、本体要素１を、無人探査車１００の車輪要素２以外の要素として扱う。
【００５２】
前述したように、本体要素１は、本体部１０がリム内周面２２ｂの直径よりも内周領域に配置されて形成されている。ただし、中央後面１１ｄからは、後方に延出する複数の脚３１が設けられ、複数の脚３１の後方先端には、一対の接地体３４、３５を保持する接地体保持３３が固定され、一対の接地体３４、３５は、接地体保持３３によって保持され、かつ、補助脚３２によって繋がれているため、これら脚３１及び脚３１よりも後方に配置されている要素は、回転軸より後方に向けて、リム外周面２２ａの直径よりも外周領域に飛び出して配置されている。
【００５３】
図２及び図６は、無人探査車１００を左側から見た図（側面図と図３のＢ−Ｂ線断面図）である。図２と図６に於いて、無人探査車１００の最後方に配置されている一対の接地体３４、３５は、車輪２０よりも左側に位置して示されており、無人探査車１００が前進走行する時の進行方向は、左から右に向かう方向であり、無人探査車が前進走行している時、車輪２０を含む車輪要素２は右回転している。
【００５４】
車輪要素２が右回転している時（無人探査車１００が前進走行している時）、本体要素１から受ける車輪要素２の回転力は、右回転方向に与えられ、その反力として、車輪要素２から受ける本体要素１の回転力は、左回転方向に与えられている。
【００５５】
本体要素１が車輪要素２から左回転方向の回転力を与えられると、当然にして、本体要素１は、左回転方向に回転しようとする。しかし、本体要素１の一つの要素である接地体外周面３４ａが不整地Ｇに接触することで本体要素１の回転は止まり、その反力として、本体要素１から右回転方向の回転力が与えられている車輪要素２が右回転して、無人探査車１００が前進走行する。
【００５６】
上記に倣い、以下の説明に於いて、無人探査車１００が前進走行する時の車輪要素２の回転方向を、右回転（無人探査車１００が後進走行する時の車輪要素２の回転方向を、左回転）とする。また、無人探査車１００が前進走行する時の進行方向を、右方向（無人探査車１００が後進走行する時の進行方向を、左方向）とする。
【００５７】
ここで、図２と図６に示されている太線矢印は、力や回転力の向きを示しており、図２と図６は、無人探査車１００が、前進走行から後進走行に切り替わっている時の状態を示している。また、不整地Ｇは、整地されていない土地であって、例えば、砂、石、岩、泥等が堆積して成る堆積層Ｇｂで成り、その表面は、水平に広がる地表面Ｇａとして成る。
【００５８】
無人探査車１００が、後進走行に切り替わっている時、本体要素１から受ける車輪要素２の回転力Ｔ２は、左回転方向に与えられ、その反力として、車輪要素２から受ける本体要素１の回転力Ｔ１は、右回転方向に与えられている。尚、車輪要素２の回転力Ｔ２と、本体要素１の回転力Ｔ１とは、互いに反力の関係にあり、互いに回転力の大きさは等しく、かつ、回転力の回転向きは逆向きの関係にある。
【００５９】
車輪要素２の重心点Ｐ２は、回転軸上にある。また、本体要素１の重心点Ｐ３は、水平方向に於いて車輪要素２の重心点Ｐ２の後方にあり、かつ、上下方向に於いて一対の接地体３４、３５の中間にある。一対の接地体外周面３４ａ、３５ａのそれぞれの径（球径）は、リム外周面２２ａの径（球径）と同一に形成されているため、本体要素１の重心点Ｐ３は、車輪要素２の重心点Ｐ２から水平方向に後方（真後ろ）に在る。
【００６０】
本体要素１には、本体要素１の重心点Ｐ３から下向きに、本体要素１の重力Ｆ３が作用している。回転軸（車輪要素２の重心点Ｐ２を含む回転軸）まわりに作用している、本体要素１の重力Ｆ３による回転力Ｔ３は、本体要素１の重心点Ｐ３と車輪要素２の重心点２との水平方向距離Ｌに比例し、「Ｔ３＝Ｆ３×Ｌ」の関係式で表せられる。また、本体要素１の重力Ｆ３による回転力Ｔ３は、左回転方向となる。
【００６１】
無人探査車１００が、前進走行から後進走行に切り替わる時、車輪要素２を左回転方向に回転させるため、車輪要素２の回転力Ｔ２は左回転方向に与えられ、その反力である車本体要素１の回転力Ｔ１は、右回転方向に与えられる。つまり、本体要素１の回転力Ｔ１は、本体要素１の重力Ｆ３による回転力Ｔ３に対して逆回転方向に与えられる。
【００６２】
無人探査車１００が前進走行から後進走行に切り替わる時、本体要素１の回転力Ｔ１が、本体要素１の重力Ｆ３による回転力よりも小さい場合、本体要素１は回転を伴わず、車輪要素２が左回転して、無人探査車１００は、左方向に後進走行を行う。
【００６３】
これに対して、無人探査車１００が前進走行から後進走行に切り替わる時、本体要素１の回転力Ｔ１が、本体要素１の重力Ｆ３による回転力Ｔ３よりも大きい場合、車輪要素２は回転を伴わず、本体要素１が本体要素１の回転力Ｔ１に伴って右回転する。尚、本発明の好適な実施例としては、本体要素１の回転力Ｔ１が、本体要素１の重力Ｆ３による回転力Ｔ３よりも大きい場合である。
【００６４】
次に、図７を参照して、本体要素１の回転力Ｔ１が、本体要素１の重力Ｆ３による回転力よりも大きい場合の、無人探査車１００が前進走行の状態から後進走行の状態へ移行する動作を説明する。図７は、無人探査車１００が前進走行の状態から後進走行の状態へ移行する動作を（ａ）、（ｂ）、（ｃ）の順に時系列で示す、無人探査車１００の左側図である。
【００６５】
図７（ａ）は、図２と同様に、無人探査車１００が前進走行の状態から後進走行に切り替わった瞬間の状態を示している。尚、この状態では、接地体外周面３４ａが下を向いて不整地Ｇに接地している。
【００６６】
図７（ｂ）は、車輪要素２の回転力Ｔ２の反力としての本体要素１の回転力Ｔ１が、本体要素１の重力Ｆ３による回転力Ｔ３よりも大きいため、車輪要素２は回転を伴わず、本体要素１が本体要素１の回転力Ｔ１に伴って９０°右回転している状態を示している。この状態では、本体要素１の重心点Ｐ３は、車輪要素２の重心点Ｐ２の真上にあり、本体要素１の重心点Ｐ３と車輪要素２の重心点２との水平方向距離Ｌは０となる。従って、この状態では、本体要素１の重力Ｆ３による回転力Ｔ３も０となり、この状態になった後は、本体要素１の回転力Ｔ１が僅かでもあれば、本体要素１は右回転する。すなわち、本体要素１が本体要素１の回転力Ｔ１に伴って右回転するに連れて、本体要素１の重心点Ｐ３と車輪要素２の重心点２との水平方向距離Ｌは短くなり、本体要素１の重力Ｆ３による回転力Ｔ３も小さくなり、本体要素を右回転させるために必要な本体要素１の回転力Ｔ１も小さくて済む。
【００６７】
図７（ｃ）は、本体要素１が本体要素１の回転力Ｔ１に伴って１８０°右回転し、接地体外周面３５ａが下を向いて不整地Ｇに接地している状態を示している。この状態になった後、引き続き、本体要素１の回転力Ｔ１を発生させると、本体要素１の一つの要素である接地面体外周面３５ａが不整地Ｇに接触することで本体要素１の回転（右回転）は止まり、その反力である車輪要素２の回転力Ｔ２によって、車輪要素２が左回転して、無人探査車１００が後進方向に走行する。
【００６８】
以上で説明したように、無人探査車１００が前進走行から後進走行に切り替わる動作は、車輪要素２の回転力Ｔ２の反力である本体要素１の回転力Ｔ１が本体要素１の重力Ｆ３による回転力Ｔ３よりも大きい場合、カメラ４０を含む本体要素１は回転軸まわりに１８０°回転し、カメラ４０は無人探査車１００の進行方向に向き、無人探査車１００が後進方向に走行する。
【００６９】
前述したように、本体要素１の少なくとも回転軸よりも前側（図２と図６に於いて右側）のにある部位は、車輪２０のリム外周面２２ａの直径よりも内周領域に配置されている。そのため、無人探査車１００が前進走行から後進走行に切り替わる動作として本体要素１が回転軸まわりに１８０°回転される最中に、本体要素１は、接地体外周面３４ａ、３５ａ以外に不整地Ｇに接触せず、本体要素１の回転が不整地Ｇの接触によって阻害されることはない。
【００７０】
無人探査車１００が前進走行から後進走行に切り替わる動作として、本体要素１が回転軸まわりに１８０°回転すると、無人探査車１００が後進方向に走行する状態の時に、カメラ４０が無人探査車１００の進行方向に向くことに加え、一対の接地体３４、３５は、無人探査車１００の進行方向に対して最後方に位置する。
【００７１】
（実施の形態の作用及び効果）
以上説明した本実施の形態によれば、無人探査車１００が後進走行する時でも、前進方向の走行に適するように設計された本体要素１の配置は、無人探査車１００の走行方向に対して変わらずに維持されるため、無人探査車１００の操作性、動作判断能力、走行性能も、走行状態に依らずに常に維持される。
【００７２】
また、無人探査車１００が前進走行から後進走行に切り替えて、後進方向の走行を恒常的に行う場合の動作（反転走行動作）は、旋回切り返し動作を必要しないシンプルな動作となるため、無人探査車１００の操作性、走行性能が向上し、無人探査車１００の消費エネルギーが低減される。
【００７３】
また、無人探査車１００が不整地Ｇの劣悪な状況に突入して上下逆さまに引っくり返ったとしても、元の姿勢に戻す必要が無く、ひっくり返った状態のまま、走行性能を維持して走行が可能なため、無人探査車１００の操作性、走行維持能力を向上させる。
【００７４】
また、無人探査車１００が上下逆さまに引っくり返った時の、姿勢回復機構を追加で設ける必要がないため、無人探査車１００の小型化、軽量化が図られる。
【００７５】
（付記）
尚、本発明は上記実施の形態に限られたものではなく、趣旨を逸脱しない範囲で適宜変更することが可能である。
【００７６】
上記の実施例では、本体要素１の回転力Ｔ１が、本体要素１の重力Ｆ３による回転力Ｔ３よりも大きい場合を好適な実施例としたが、本体要素１の回転力Ｔ１は、可変で、その最大動力としての本体要素１の回転力Ｔ１が本体要素１の重力Ｆ３による回転力Ｔ３よりも大きければ良い。
【００７７】
上記の実施例では、無人探査車１００の遠隔操作や自立判断のための情報は、カメラ４０による撮影画像としたが、例えば、赤外線センサー等の各種センサーや照明等でも良い。
【００７８】
爪２４の形状については、例えば、リム外周面２２ａに幅方向に延びる長穴を設けて、その壁面を爪２４としても良い。
【００７９】
尚、上記の説明に於ける「回転力」は、「トルク」と同義である。
【符号の説明】
【００８０】
１…本体要素、２…車輪要素、３…中間要素、１０…本体部、１１…中央部、１１ａ…中央上面、１１ｂ…中央下面、１１ｃ…中央前面、１１ｄ…中央後面、１１ｅ…カメラ保持穴、１２…膨張部、１２ａ…膨張面、１２ｂ…側面、１３…モーター保持、１４…駆動モーター、１５…減速歯車、１６…減速軸、１７…軸受、１８…バッテリー保持、１８ａ…バッテリー、１９…基板保持、１９ａ…制御基板、２０…車輪、２１…ディスク部、２２…リム部、２２ａ…リム外周面、２２ｂ…リム内周面、２３…スポーク部、２４…爪、２４ａ…爪外周面、２５…リム内周隙間、３１…脚、３２…補助脚、３３…接地体保持、３４…接地体、３４ａ…接地体外周面、３５…接地体、３５ａ…接地体外周面、４０…カメラ、１００…無人探査車、
【図１】
2020172222.tif 000003
【図２】
2020172222.tif 000004
【図３】
2020172222.tif 000005
【図４】
2020172222.tif 000006
【図５】
2020172222.tif 000007
【図６】
2020172222.tif 000008
【図７】
2020172222.tif 000009